(57)【要約】【課題】著作権で保護されるべきプログラムデータを記録したプログラム領域の目視による判別を不可能として、前記プログラムデータの違法再生による違法コピーを防止可能なとするディスクを提供する。【解決手段】半径方向に亘り同心円状に順次連続して形成し、かつリードイン領域とプログラム領域とリードアウト領域とを１組とするセッション構造のディスク３であって、ユーザデータとして使用可能なプログラム領域２ｂ１，２ｂ２を除く、リードイン領域２ａ１，２ａ２及びリードアウト領域２ｃ１，２ｃ２の各反射率をプログラム領域２ｂ１，２ｂ２の反射率とほぼ等しく目視によって区別不可能な程度の値とした。【選択図】　図１
2004022018.tif 000002
【特許請求の範囲】
【請求項１】
半径方向に亘り同心円状に順次連続して形成し、かつリードイン領域とプログラム領域とリードアウト領域とを１組とするセッション構造のディスクであって、
ユーザデータとして使用可能な前記プログラム領域を除く、前記リードイン領域及び前記リードアウト領域の各反射率を前記プログラム領域の反射率とほぼ等しく、目視によって区別不可能な程度の値としたことを特徴とするディスク。
【発明の詳細な説明】
【０００１】
【発明の属する技術分野】
本発明は、著作権で保護されるべきプログラムデータ（例えばオーディオデータ）を記録したプログラム領域の目視判別を不可能とすることにより、当該プログラムデータの違法再生及びその違法コピーを防止することが可能なコピープロテクトを施したディスクに関するものである。
【０００２】
【従来の技術】
現在オーディオ、コンピュータソフト等のデータ配布用媒体として、大量生産に適し、かつ安価な再生専用型コンパクトディスク（以下「ＣＤ」と記す）が多用されている。ところが昨今、ＣＤに記録してあるデータを著作権者の許諾を得ずにその他記録媒体に違法複製して使用する被害が発生している。
【０００３】
ここでは、コピープロテクトを施すべきディスクとして、ＣＤを取り上げる。
具体的には、いわゆるマルチセッション方式のＣＤに記録されているプログラムデータの違法再生及びその違法コピーを防止するためのコピープロテクトについて述べる。
【０００４】
図３は通常のオーディオコンパクトディスク（以下「オーディオＣＤ」と記す）に用いるシングルセッション方式のＣＤのデータ構造を説明するための図であり、オーディオデータは「Ｒｅｄ　Ｂｏｏｋ」規格に準拠したフォーマットでプログラム領域１ｂに記録される。図４はマルチセッション方式のＣＤ（以下「マルチＣＤ」と記す）のデータ構造を説明するための図、図５は図３に示すオーディオＣＤのリードイン領域及びリードアウト領域にそれぞれ記録される８−１４変調（以下ＥＦＭと記す）フレームフォーマットのデータ（固定データ）の具体例を示す図である。
【０００５】
図３に示すオーディオＣＤ　１は、ディスクの内周側から外周側に向って同心円状に順次連続して、リードイン領域１ａ、オーディオデータが記録されたプログラム領域１ｂ、リードアウト領域１ｃを各１つずつ有するデータ構造のディスクである。
【０００６】
これに対して、マルチＣＤ　２は、ディスクの内周側から外周側に向って同心円状に順次、セッションＳ１、セッションＳ２が形成されている。セッションＳ１は図３のオーディオＣＤと同一フォーマット（「Ｒｅｄ　Ｂｏｏｋ」規格に準拠したフォーマット）で記録され、リードイン領域２ａ１、プログラム領域２ｂ１、リードアウト領域２ｃ１から構成されている。プログラム領域２ｂ１には著作権で保護されるべきオーディオデータであるプログラムデータが格納されている。
【０００７】
セッションＳ２は「Ｙｅｌｌｏｗ　Ｂｏｏｋ」規格に準拠したフォーマットで記録され、リードイン領域２ａ２、プログラム領域２ｂ２、リードアウト領域２ｃ２から構成されている。プログラム領域２ｂ２又はリードイン領域２ａ２には、プログラム領域２ｂ１に格納されているプログラムデータの違法コピーを防止するためのコピープロテクトデータが格納されている。
【０００８】
このマルチＣＤ　２は、最終セッションＳ２のプログラム領域２ｂ２又はリードイン領域２ａ２にコピープロテクトデータを記録しておくことにより、違法複製を行うに際して、プログラム領域２ｂ１のプログラムデータを正しく認識できないようにして違法複製を防止している。
【０００９】
なお、図４では、最外周に位置するセッションＳ２の内側に隣接して１つのセッションＳ１が設けられているだけであることが図示されているが、必要に応じてこのセッションＳ１に代えて、複数のセッションを設けてもよいことは勿論である。
【００１０】
【発明が解決しようとする課題】
しかしながら、前述したマルチＣＤ　２（図４）は、セッションＳ１が、前述の「Ｒｅｄ　Ｂｏｏｋ」規格に準拠したフォーマットで記録するため、著作権で保護されるべきプログラムデータを記録してあるプログラム領域２ｂ１の反射率が、これに隣接するリードイン領域２ａ１とリードアウト領域２ｃ１の各反射率と大きく異なってしまい、この結果、プログラム領域２ｂ１自体が目視により容易に判別可能となリ、違法複製すべき領域が容易く判別できてしまっていた。
【００１１】
一方、セッションＳ２は、前述の「Ｙｅｌｌｏｗ　Ｂｏｏｋ」規格に準拠したフォーマットで記録するため、リードイン領域２ａ２とリードアウト領域２ｃ２とプログラム領域２ｂ２との各記録をＣＤ−ＲＯＭ構造で記録することが一般的である。このようなＣＤ−ＲＯＭ構造を採用すると、リードイン領域２ａ２とプログラム領域２ｂ２とリードアウト領域２ｃ２にそれぞれ記録される各データが非固定となる。この結果、セッションＳ２全体の反射率はセッション１のプログラム領域２ｂ１とほぼ同じ反射率となる。
【００１２】
この反射率の差が生じる理由は次のとおりである。
即ち、プログラム領域２ｂ１に記録してあるプログラムデータは、オーディオデータであるため、互いに隣接する１バイトのデータ同士が同一である固定データ（例えば、０ｘ００，０ｘ００，０ｘ００，…（「０ｘ００」は１６進数データ「００」の意）」）であることはほとんどなく、オーディオデータの内容に応じたデータ列である非固定データ（例えば「０ｘ０２，０ｘＦＡ，０ｘ１７，０ｘＡ０，…」）として記録されている（図４のダーク部分）。
【００１３】
これに対して、リードイン領域２ａ１、リードアウト領域２ｃ１にそれぞれ記録してある各データ列は、「Ｒｅｄ　Ｂｏｏｋ」規格に準拠したＥＦＭフレームフォーマットのデータとして、互いに隣接する１バイトのデータ同士が同一である固定データ（例えば１２バイトのデータ列「０ｘ００，０ｘ００，０ｘ００，０ｘ００，０ｘ００，０ｘ００，０ｘ００，０ｘ００，０ｘ００，０ｘ００，０ｘ００，０ｘ００」）が所定時間に亘って順次記録されている（図４の白色部分）。
【００１４】
このために、記録データの固定データと非固定データとの差がプログラム領域２ｂ１（非固定データ）、リードイン領域２ａ１（固定データ）、リードアウト領域２ｃ１（固定データ）、でそれぞれ発生する照射光に対する回折光（反射光）散乱状態の大きな相違となる。この結果、リードイン領域２ａ１、プログラム領域２ｂ１、リードアウト領域２ｃ１、の各反射率の差となる。
【００１５】
リードイン領域２ａ１、リードアウト領域２ｃ１にそれぞれ記録してあるＥＦＭフレームフォーマットのデータの例を図５に示す。リードアウト領域２ｃ１の長さはその都度変わることが多い。因みにリードアウト領域２ｃ１が１分３０秒の時の長さは９８ＥＦＭフレーム×７５×９０秒である。
【００１６】
ここで、ＥＦＭフレームの概要について図５で説明する。
各ＥＦＭフレームは３３シンボルのデータを一まとめにしたものである。ここで１シンボルは１バイト（８ビット）に対応する。各ＥＦＭフレームの先頭に位置するサブコードはアドレスやデータの種別（オーディオデータ、ＲＯＭデータ等の種別）を１バイトで示す情報を記録する。ＣＤプレーヤ等で再生する音楽信号はＥＦＭフレームに２４バイト割当てられ、半分の１２バイトづつ記録される（これは図５に示してある「データ１２バイト＋データ１２バイト」に対応）。また、音楽データのエラー訂正用に訂正符号が８バイト用意され、各「データ１２バイト」間に４バイトづつ配置される。
【００１７】
こうした構成のＥＦＭフレームが９８個集合し、１ブロック（１／７５秒）を構成する。
実際にＣＤに記録されるデータは、ＥＦＭフレーム（図５（図２））のデータに同期パターンを追加して、変調テーブルに従って各８ビットデータを各１４ビットデータに変換し、データ間にマージンビット３ビットの追加を行なった後に生成される一連のデータ列である。（図５では省略）
【００１８】
図５に示すＥＦＭフレームの３３バイトのうち、先頭のサブコードは時間情報等を記録するため、常に値は変化する。しかし、オーディオデータの２４バイトが固定データのため、訂正符号のデータも一義的に固定値となる。具体的に示すと、２４バイトの「データ」を構成する２つの１２バイトのデータ列は、全て「０ｘ００」の固定データである。
【００１９】
こうしたことから、マルチＣＤ　２の表面における入射光に対する反射光の各反射率は、このような固定データ、非固定データに応じて大きく異なるものとなる。この反射率の大きな相違によって、リードイン領域２ａ１、プログラム領域２ｂ１、リードアウト領域２ｃ１は、目視により容易に判別可能となる。例えば、リードイン領域２ａ１及びリードアウト領域２ｃ１の各反射率は７５．０％程度であるのに対して、プログラム領域２ｂ１の各反射率は７６．５％程度である。反射率の差は１．５％である。
【００２０】
従って、プロテクトデータを記録したプログラム領域２ｂ２の物理的位置も目視で認識可能となるので、このプログラム領域２ｂ２の物理的位置を物理的に隠す事によって（例えばこの部分を筆記具等で黒く塗りつぶすことによりプログラム領域と認識できないようにすることにより）、ＣＤ再生装置に装填して再生状態に移行する際には、このマルチＣＤ　２（図４）を、あたかも、マルチセッション方式でない通常のオーディオＣＤ　１（図３）であると装置側に誤認させて、通常のオーディオＣＤの再生状態を創出させることによって、プログラム領域２ｂ１に記録してあるオーディオデータのみを違法に再生して、再生したこのプログラムデータを別の記録装置で違法にコピー可能とする問題があった。
【００２１】
そこで、上述した課題を解決するために本発明は創案されたものであり、半径方向に亘り同心円状に順次連続して形成し、かつリードイン領域とプログラム領域とリードアウト領域とを１組とするセッション構造のディスクであって、ユーザデータとして使用可能な前記プログラム領域を除く、前記リードイン領域及び前記リードアウト領域の各反射率を前記プログラム領域の反射率とほぼ等しく、目視によって区別不可能な程度の値としたことにより、前記プログラム領域に記録されているプログラムデータの違法再生による違法コピーを防止可能なディスクを提供することを目的とする。
【００２２】
【課題を解決するための手段】
上述した課題を解決するために、本発明は下記の構成になるディスクを提供する。
図１に示すように、半径方向に亘り同心円状に順次連続して形成し、かつリードイン領域とプログラム領域とリードアウト領域とを１組とするセッション構造のディスク３であって、
ユーザデータとして使用可能な前記プログラム領域２ｂ１，２ｂ２を除く、前記リードイン領域２ａ１，２ａ２及び前記リードアウト領域２ｃ１，２ｃ２の各反射率（例えば７６．５％±（０．５〜１．０）％）を前記プログラム領域２ｂ１，２ｂ２の反射率（例えば７６．５％）とほぼ等しく、目視によって区別不可能な程度の値としたことを特徴とするディスク。
【００２３】
【発明の実施の形態】
以下、本発明の実施の形態につき、その好ましい実施例を用いて、図１、図２に沿って説明する。
図１は本発明の一実施例であるマルチセッション方式のＣＤを説明するための図、図２は図１に示すマルチＣＤにおける音楽データを記録するセッションのリードイン領域及びリードアウト領域にそれぞれ記録されるＥＦＭフレームフォーマットのデータの具体例を示す図である。
前述したものと同一構成のものには同一符号を付しその説明を省略する。
【００２４】
本発明の一実施例であるマルチＣＤ　３は、図１に示すように、前述したマルチセッション方式のマルチＣＤ　２（図４）における、セッションＳ１とセッション２の反射率を略等しくすることで、、著作権で保護されるべきプログラムデータが格納されているプログラム領域２ｂ１の領域の境界を示すリードイン領域２ａ１とリードアウト領域２ｃ１ととの境目が目視により判別不可能した構成を有するものである。特に、リードイン領域２ａ１、リードアウト領域２ｃ１にそれぞれ記録してある各データ列として、互いに隣接する１バイトのデータ同士が相違する非固定データ列（図２に示すＥＦＭフレームのデータ）を用いることに特徴があるものである。換言すれば、本発明の実施前のディスクは前記したマルチＣＤ　２（図４）であり、本発明の実施後のディスクはマルチＣＤ　３（図１）であるといえる。
【００２５】
本発明の一実施例であるマルチＣＤ　３は、図１に示すように、半径方向に亘り同心円状に順次連続して形成したリードイン領域２ａ１とプログラム領域２ｂ１とリードアウト領域２ｃ１とを１組（セッションＳ１）として、セッション数を少なくとも２つ以上設けてなるマルチセッション方式のディスク３である。
【００２６】
ディスク３は、ディスク３の最内周に位置するセッションＳ１と、このセッションＳ１の外側に隣接するセッションＳ２とを少なくとも備えている。セッションＳ１はリードイン領域２ａ１とプログラム領域２ｂ１とリードアウト領域２ｃ１とを有している。またセッションＳ２はリードイン領域２ａ２とプログラム領域２ｂ２とリードアウト領域２ｃ２とを有している。
【００２７】
具体的には、リードイン領域２ａ１のリードインデータとリードアウト領域２ｃ１のリードアウトデータは、互いに隣接するデータが相違する非固定データ列（図２に示す計３３バイト分のＥＦＭフレーム（２４バイト分のデータ））である。
加えてこれら非固定データ列は、オーディオＣＤブレーヤでマルチＣＤ　３を再生した場合に、一般的に聴感不能な音で再生されるように、互いに隣接するデータを適宜設定して使用することは勿論である。
【００２８】
図２に示すように、リードイン領域２ａ１及びリードアウト領域２ｃ１にそれぞれ記録するデータは、互いに隣接する１バイトのデータが同一ではなく相違する非固定データ（例えば１２バイトのデータ列（６バイトのＬチャンネルデータ「０ｘ００，０ｘ０５，０ｘ００，０ｘ０５，０ｘ００，０ｘ０５」，６バイトのＲチャンネルデータ「０ｘ００，０ｘ１２，０ｘ００，０ｘ１２，０ｘ００，０ｘ１２」）が所定時間に亘って順次記録されている。
【００２９】
マルチＣＤ　３のリードイン領域２ａ１のリードインデータとリードアウト領域２ｃ１のリードアウトデータを構成するＥＦＭフレームを図２に示す。
このＥＦＭフレームは３３バイトのデータで構成され、前述図５と同様なフォーマットで記録する。
各データは、先頭から、１バイトの「サブコード」、２４バイトの「音楽データ」、８バイトの「訂正符号」で順次構成される。２４バイトの「データ」は、６バイトのＬチャンネルデータ「０ｘ００，０ｘ０５，０ｘ００，０ｘ０５，０ｘ００，０ｘ０５」，６バイトのＲチャンネルデータ「０ｘ００，０ｘ１２，０ｘ００，０ｘ１２，０ｘ００，０ｘ１２」，４バイトの訂正符号、６バイトのＬチャンネルデータ「０ｘ００，０ｘ０５，０ｘ００，０ｘ０５，０ｘ００，０ｘ０５」，６バイトのＲチャンネルデータ「０ｘ００，０ｘ１２，０ｘ００，０ｘ１２，０ｘ００，０ｘ１２」，４バイトの訂正符号、の順で構成されている。こうして２４バイトの「データ」は、全て非固定データとなる。
【００３０】
このように、プログラム領域２ｂ１の反射率との差を僅少とし、かつこれを再生したときにも一般的に聴感不能な音となるように、リードイン領域２ａ１及びリードアウト領域２ｃ１にそれぞれ同一の非固定データ列（図２）を記録した。
この結果、リードイン領域２ａ１の反射率とリードアウト領域２ｃ１の反射率とプログラム領域２ｂ１の反射率との差が、リードイン領域２ａ１とリードアウト領域２ｃ１とプログラム領域２ｂ１とを目視によって区別不可能な程度の、反射率の差（例えば０．５〜１．０％程度）の小なる値とすることができた。これを実験で確認したところ、プログラム領域２ｂ１の反射率が７６．５％の場合には、リードイン領域２ａ１とリードアウト領域２ｃ１の反射率がそれぞれ、７６．５％±（０．５〜１．０）％の範囲の値であれば、プログラム領域２ｂ１とリードイン領域２ａ１とリードアウト領域２ｃ１との３領域は目視によって区別不可能な状態を醸成することが出来た。
【００３１】
上述した実施例では、リードイン領域２ａ１、リードアウト領域２ｃ１、の物理的位置の目視での認識を不可能とする方法を挙げたが、本発明はオーディオＣＤにおいて、トラックとトラックを隔てる曲間（Ｉｎｄｅｘ−０）の領域にも応用は可能である。つまり、通常のＩｎｄｅｘ−０はリードイン領域とリードアウト領域と同じ、固定データを入れるため、容易にトラックを目視で判別しやすい。これを、本発明のようにＩｎｄｅｘ−０を非固定データで置き換えることで、著作権を保護すべき領域を目視で判別しにくくすることができる。
【００３２】
さらに、セッション２の「Ｙｅｌｌｏｗ　Ｂｏｏｋ」規格に準拠するフォーマットのプログラム領域（ＲＯＭ領域）の、リードイン領域およびリードアウト領域は通常はＣＤ−ＲＯＭ構造にするが、「Ｒｅｄ　Ｂｏｏｋ」規格に準拠する前記セッション１と同様な固定データにすることは規格上許されている。
このため、本発明の効果を高めるためには、セッション２のリードイン領域およびリードアウト領域をＣＤ−ＲＯＭ構造にするか、または「Ｒｅｄ　Ｂｏｏｋ」規格に準拠するフォーマットにするならば、セッション１の本発明の固定データにすることが望ましい。上述したのはオーディオデータを例として説明したが、これ以外の著作権で保護されるべき各種のデータを本発明に適用できることは言うまでもない。
【００３３】
【発明の効果】
以上詳述したように本発明は、著作権で保護されるべきプログラムデータが記録されたプログラム領域の目視による判別を不可能として、プログラム領域からのプログラムデータの違法再生による違法コピーを防止可能なマルチセッション方式のディスクを提供することができる。
【図面の簡単な説明】
【図１】本発明の一実施例であるマルチセッション方式のＣＤを説明するための図
【図２】図１に示すセッション１のリードイン領域及びリードアウト領域にそれぞれ記録されるＥＦＭフレームフォーマットのデータの具体例を示す図
【図３】シングルセッション方式のオーディオＣＤのデータ構造を説明するための図
【図４】マルチセッション方式のＣＤのデータ構造を説明するための図
【図５】図３に示すオーディオＣＤのリードイン領域及びリードアウト領域にそれぞれ記録されるＥＦＭフレームフォーマットのデータの具体例を示す図
【符号の説明】
１〜３　ＣＤ、ディスク
２ａ１，２ａ２　リードイン領域
２ｂ１，２ｂ２　プログラム領域
２ｃ１，２ｃ２　リードアウト領域
Ｓ１，Ｓ２　セッション
【図１】
2004022018.tif 000003
【図２】
2004022018.tif 000004
【図３】
2004022018.tif 000005
【図４】
2004022018.tif 000006
【図５】
2004022018.tif 000007